(57)【要約】【課題】収納ケースを開放して制御素子をすり替える不正を効果的に防止することができる上、収納ケースを容易に開放して基板の修理・メンテナンスや制御素子のチェックを行うことが可能な制御装置を提供する。【解決手段】制御装置１は、ＬＳＩ２５等を搭載した基板２が、上ケース３と下ケース４とからなる収納ケースＣによって覆われている。下ケース４には、呼出波を受信すると識別情報を含む反射波を出力するＩＣタグ２６が貼着されている。また、上ケース３には、ＩＣタグ２６に対して呼出波を送信し反射波を受信するアンテナ３２が、左側部分Ｌを突出させた状態で貼着されており、その左側部分Ｌが、ＩＣタグ２６を覆った状態になっている。そして、アンテナ３２の右側部分Ｒを剥離すると、アンテナ３２の送受信回路３５が断線し、ＩＣタグ２６を剥離すると、ＩＣタグの送受信回路３１が断線するようになっている。【選択図】図３
2004243042.tif 000002
【特許請求の範囲】
【請求項１】
所定の動作を行う機器の動作内容を制御するための制御素子が、その制御素子を固定するためのベース部材と、ベース部材に固定された制御素子を外部と遮断するためのカバー部材とからなる収納ケースによって保持されており、無線通信の有無によって前記収納ケースの状態を監視するためのＩＣタグとアンテナとが、それぞれ、前記ベース部材あるいはカバー部材のいずれかに取り付けられた制御装置であって、
前記ベース部材と前記カバー部材とが組み付けられた状態において、前記ＩＣタグと前記アンテナとが、無線通信可能な所定距離で対峙しており、
前記アンテナが、前記ベース部材あるいはカバー部材との貼着部分を剥離すると、無線通信不能となるように自己破壊を起こすようになっていることを特徴とする制御装置。
【請求項２】
ＩＣタグの貼着部分を剥離するとＩＣタグが自己破壊を起こすようになっていることを特徴とする請求項１に記載の制御装置。
【請求項３】
アンテナが、一部をベース部材あるいはカバー部材から突出させた状態で、ＩＣタグと無線通信可能に対峙していることを特徴とする請求項１、または請求項２に記載の制御装置。
【請求項４】
アンテナおよび／またはＩＣタグが、ベースシート上に送受信回路を積層したものであり、収納ケースから剥離すると、アンテナあるいはＩＣタグの送受信回路が断線することを特徴とする請求項１〜３のいずれかに記載の制御装置。
【請求項５】
請求項１〜４のいずれかに記載の制御装置を備えたことを特徴とする遊技機。
【発明の詳細な説明】
【０００１】
【発明の属する技術分野】
本発明は、パチンコ機、スロットマシーン等の遊技機をはじめとする各種の機器に用いる制御装置に関するものであり、詳しくは、不正行為を効果的に防止することが可能な遊技機用の制御装置に関するものである。
【０００２】
【従来の技術】
パチンコ機用の制御装置として、動作内容を制御するＬＳＩやＲＯＭ等の制御素子を分割式の収納ケースで覆ったものが知られている。かかる制御装置においては、収納ケースを開放しＬＳＩやＲＯＭ等の制御素子を偽造されたものにすり替える不正行為が行われることがある。それゆえ、そのような不正行為を防止可能な制御装置として、固有の識別情報を記憶したＩＣタグを収納ケースの表面に貼着するとともに、ＩＤ読取装置をＩＣタグの近傍に設置し、そのＩＤ読取装置によってＩＣタグの識別情報を一定の周期毎に読み取る（確認する）ようにしたものが考案されている（たとえば、特許文献１参照）。
【０００３】
【特許文献１】
特開２０００−２８８２１８
【０００４】
ところが、特許文献１に開示された制御装置は、ＩＤ読取装置を自由に移動させることができるため、そのＩＤ読取装置とＩＣタグとの相対位置を変化させることなく収納ケースを開閉することができるので、収納ケースが開放されて、ＬＳＩやＲＯＭ等の制御素子がすり替えられてしまう虞れがある。
【０００５】
それゆえ、出願人らは、ＩＣタグとそのＩＣの情報を読み取る装置との相対位置を変化させることなくＩＣタグが取り外されてしまう事態を防止すべく、ＩＣタグを分割式収納ケースの片方に貼着し、剥がされると自己破壊して信号の送受信をする機能を果たさなくなるアンテナ（ＩＣタグと無線による送受信を行うアンテナ）を、分割式収納ケースのすべてのパーツに跨がってＩＣタグを覆うように貼着してなる制御装置を発明した（特願２００２−３４６３８５）。
【０００６】
【発明が解決しようとする課題】
しかしながら、特願２００２−３４６３８５に係る制御装置は、内蔵された基板の修理・メンテナンスや制御素子のチェックのために収納ケースを開放する場合に、アンテナを剥がさなければならない。また、剥がすとアンテナが自己破壊してしまうため、基板の修理・メンテナンスや制御素子のチェックの後には、新しいアンテナを貼着し、配線をし直さなければならない。それゆえ、基板の修理・メンテナンスや制御素子のチェックの作業が煩わしかった。
【０００７】
本発明の目的は、上記従来の制御装置が有する問題点を解消し、収納ケースを開放して制御素子をすり替える不正を効果的に防止することができる上、収納ケースを容易に開放して基板の修理・メンテナンスや制御素子のチェックを行うことが可能な制御装置を提供することにある。
【０００８】
【課題を解決するための手段】
本発明のうち、請求項１に記載された発明の構成は、所定の動作を行う機器の動作内容を制御するための制御素子が、その制御素子を固定するためのベース部材と、ベース部材に固定された制御素子を外部と遮断するためのカバー部材とからなる収納ケースによって保持されており、無線通信の有無によって前記収納ケースの状態を監視するためのＩＣタグとアンテナとが、それぞれ、前記ベース部材あるいはカバー部材のいずれかに取り付けられた制御装置であって、前記ベース部材と前記カバー部材とが組み付けられた状態において、前記ＩＣタグと前記アンテナとが、無線通信可能な所定距離で対峙しており、前記アンテナが、前記ベース部材あるいはカバー部材との貼着部分を剥離すると、無線通信不能となるように自己破壊を起こすようになっていることにある。
【０００９】
請求項２に記載された発明の構成は、請求項１に記載された発明において、ＩＣタグの貼着部分を剥離するとＩＣタグが自己破壊を起こすようになっていることにある。
【００１０】
請求項３に記載された発明の構成は、請求項１、または請求項２に記載された発明において、アンテナが、一部を前記ベース部材あるいはカバー部材から突出させた状態で、ＩＣタグと無線通信可能に対峙していることにある。
【００１１】
請求項４に記載された発明の構成は、請求項１〜３のいずれかに記載された発明において、アンテナおよび／またはＩＣタグが、ベースシート上に送受信回路を積層したものであり、収納ケースから剥離すると、アンテナあるいはＩＣタグの送受信回路が断線することにある。
【００１２】
請求項５に記載された発明の構成は、請求項１〜４のいずれかに記載の制御装置を備えた遊技機にある。
【００１３】
【発明の実施の形態】
以下、本発明の遊技機用制御装置（以下、単に制御装置という）について、図面に基づき、次の目次の順序にしたがって、詳細に説明する。
（１）実施例の制御装置の概要
（２）実施例の制御装置の構造
（３）実施例の制御装置の特徴部分の説明
（４）実施例の制御装置の使用態様
（５）実施例の制御装置を設置したパチンコ機の動作内容
（６）実施例の制御装置の効果
（７）本発明の変更例の説明
【００１４】
（１）実施例のパチンコ機の概要
本発明に係る制御装置は、収納ケースにＩＣタグとアンテナとが設置されており、それらのＩＣタグとアンテナとが、無線通信を定期的に繰り返すことによって、収納ケースの状態（不正開閉の有無等）を常時監視するようになっている。そして、ＩＣタグとアンテナとの無線通信が途切れた場合には、所定の信号を外部に出力し、収納ケースが不正に開放された可能性があることを報知するようになっている。
【００１５】
２．実施例の制御装置の構造
図１〜図３は、それぞれ、本発明に係る制御装置の正面図、左側面図、分解斜視図であり、制御装置１は、各種の制御素子を搭載した基板２を覆うための分割式の収納ケースＣ、無線による所定の呼出波を受信すると記憶している固有の識別情報を含む反射波を無線により出力するＩＣタグ２６、ＩＣタグ２６に対して呼出波を送信しＩＣタグ２６からの反射波を受信するアンテナ３２等によって構成されている。また、分割式の収納ケースＣは、カバー部材である透明な合成樹脂製の上ケース３と、ベース部材である透明な合成樹脂製の下ケース４とによって構成されている。
【００１６】
上ケース３は、透明な合成樹脂（アクリル樹脂等）によって開口した箱状に形成されており、長方形状のフロントパネル５の周囲が、略直角に後方に折り返された状態になっている。フロントパネル５の右側の折返し部６の後端縁際には、３個の縦長な係止孔７，７・・が等間隔で穿設されている。また、フロントパネル５の左側の折返し部８には、２個の係合翼９ａ，９ｂが設けられている。さらに、上側の係合翼９ａの上端、および、下側の係合翼９ｂの下端には、それぞれ、係合孔１２が穿設されている。また、フロントパネル５の上端際には、コネクタ挿通窓１４が設けられている。
【００１７】
また、下ケース４は、透明な合成樹脂（アクリル樹脂等）によって扁平な直方体状に形成されている。そして、長方形状の基板支持板１６の表面に、補強用のリブ１７，１７・・が格子状に立設されており、基板支持板１６の周囲が略直角に後方に折り返された状態になっている。また、下ケース４の右端縁際には、後述する効果音制御装置５６を覆うように中空状の音基板カバー１９が設けられており、その音基板カバー１９の内側面には、嵌合突起２０，２０・・が突設されている。さらに、左側の折返し部２１には、２個の支持翼２２ａ，２２ｂが連設されている。加えて、上側の支持翼２２ａの上端、および、下側の支持翼２２ｂの下端には、それぞれ、先端を矢尻状に形成した係合体２４，２４が突設されている。
【００１８】
一方、基板２は、縦長な長方形に形成されており、中央部分の表面に、パチンコ機１の動作内容を制御するためのＬＳＩ２５等の各種の制御素子が搭載されている。なお、ＬＳＩ２５は、各種の演算処理を行うＣＰＵ、データやプログラム等を一時的に記憶するＲＡＭ、各種のデータや制御プログラム等を記憶したＲＯＭ等を一体にモールディングしたものである。また、基板２の上端際には、各種の装置に接続するためのコネクタ１３，１３・・が設置されている。かかる基板２は、リブ１７，１７・・に支えられた状態で、下ケース４に螺着されている。
【００１９】
制御装置１は、下ケース４に螺着された基板２上のコネクタ１３，１３・・を、上ケース３のコネクタ挿通窓１４に挿通させ、下ケース４の右側の音基板カバー１９の内側面に突設された嵌合突起２０，２０・・を、上ケース３の右側の折返し部６に穿設された係止孔７，７・・に嵌合させた状態で、下ケース４の左側の各支持翼２２ａ，２２ｂに突設された各係合体２４，２４を、上ケース３の左側の各係合翼９ａ，９ｂに穿設された各係合孔１２，１２に係止させることによって、下ケース４と上ケース３とが一体になっており、下ケース４と上ケース３とで基板２を覆い、基板２を外部と遮断した状態になっている。
【００２０】
３．実施例の制御装置の特徴部分の説明
下ケース４の左端縁の支持翼２２ａの外側には、扁平な長方形状のＩＣタグ２６が貼着されている。図４は、ＩＣタグ２６の外観を示したものであり、図５は、ＩＣタグ２６の制御機構を示したものである。また、図６は、下ケース４に貼着したＩＣタグ２６の断面（図４におけるＡ−Ａ線断面）の様子を示したものである。ＩＣタグ２６は、挿通孔７０を穿設した合成樹脂（ポリエステル等）製のフレキシブルプリント基板２７の表面に、アンカーコート層（エステル樹脂系の接着剤層）７２，７２・・が横縞状に塗布されており、そのアンカーコート層７２，７２・・の上に、粘着剤層（アクリル樹脂系の粘着剤層）７３が積層されている。そして、その粘着剤層７３中に送受信回路３１が形成されている。また、粘着剤層７３は、フレキシブルプリント基板２７よりも下ケース４の表面と強固に接着するとともに、下ケース４の表面よりもアンカーコート層７２，７２・・と強固に接着するように調整されている。さらに、下ケース４と粘着剤層７３との接着強度よりもフレキシブルプリント基板２７とアンカーコート層７２，７２・・との接着強度が高くなるように調整されている。さらに、フレキシブルプリント基板２７に穿設された挿通孔７０の付近には、ＩＣチップ３０が設置されている。ＩＣチップ３０は、呼出波に応答して反射波を放出するＲＦ回路２８と、不揮発性の記憶手段であるＥＥＰＲＯＭ２９とを一体にしたものであり、ＥＥＰＲＯＭ２９と接続されたＲＦ回路２８が、送受信回路３１に接続されている。また、ＥＥＰＲＯＭ２９の上書消去禁止区域には、ＩＣタグ２６を他のＩＣタグと識別するためのＩＤコード等の識別情報が記憶されている。
【００２１】
かかるＩＣタグ２６は、アンテナとの間で、所定の周波数（ここでは、１３．５６ＭＨｚ）を利用して、ノイズの影響が比較的に少ないＲＦ送受信を行うことができ、呼出波を受信すると、予め登録された識別情報を含む反射波を、所定の通信範囲（約１ｍｍ）内に出力（返信）する。なお、反射波の返信は、ＥＥＰＲＯＭ２９からＩＤコード等の識別情報を読み出し、その識別情報を反射波に乗せてＲＦ回路２８から送信することによって行われる。また、ＩＣタグ２６は、呼出波が送信されると、その呼出波を送受信回路３１が受信し、呼出波に含まれた搬送波成分をＲＦ回路２８で整流することによって直流電圧を得ることができる。したがって、ＩＣタグ２６は、外部からの電源供給を受けることなく必要な時にいつでも反射波を返信することができる。また、呼出波に乗せて送信された特定のデータ（異常の履歴等）をＥＥＰＲＯＭ２９に記憶しておくこともできる。
【００２２】
また、ＩＣタグ２６は、粘着剤層７３によって下ケース４に貼着（粘着）されており、剥離すると、図７の如く、送受信回路３１の一部が粘着剤層とともに分離して接着面（下ケース４の表面）に残存し、送受信回路３１が切断され、アンテナ３２とＲＦ送受信を行うアンテナとしての機能を果たさなくなる（すなわち、自己破壊する）。
【００２３】
一方、図３の如く、上ケース３の係合翼９ａには、アンテナ３２が、略半分を係合翼９ａの表面に沿って外側（下ケース４の方向）に突出させた状態で貼着されている。そして、上ケース３と下ケース４とを組み付けた状態においては、アンテナ３２が、下ケース４の支持翼２２ａの外側に接着されたＩＣタグ２６を覆っており、ＩＣタグ２６と対峙した状態になっている。
【００２４】
図８は、アンテナ３２の正面を示したものである。アンテナ３２は、縦長な長方形状に形成されており、鉛直方向の中心線（図８におけるＢ−Ｂ線）を境として、左右の構造が異なっている。図９は、アンテナ３２の右側（図８における右側）の部分の断面（図８におけるＡ−Ａ線断面）の様子を示したものである。アンテナ３２の右側部分Ｒは、ベースシートである硬質な合成樹脂（ポリエステル）製のプリント基板３４の表面に、アンカーコート層（エステル樹脂系の接着剤層）７２，７２・・が横縞状に塗布されており、そのアンカーコート層７２，７２・・の上に、粘着剤層（アクリル樹脂系の粘着剤層）７３が積層されている。そして、その粘着剤層７３中に送受信回路３５が渦巻き状に形成されている（粘着剤層を設け、送受信回路３５を塗布した後に、再度、粘着剤層を積層することによって形成されている）。また、粘着剤層７３は、プリント基板３４よりも上ケース３、下ケース４の表面と強固に接着するとともに、上ケース３、下ケース４の表面よりもアンカーコート層７２，７２・・と強固に接着するように調整されている。さらに、上ケース３、下ケース４と粘着剤層７３との接着強度よりもプリント基板３４とアンカーコート層７２，７２・・との接着強度が高くなるように調整されている。
【００２５】
一方、図１０は、アンテナ３２の左側の部分の断面（図８におけるＣ−Ｃ線断面）の様子を示したものである。アンテナ３２の左側部分Ｌは、プリント基板３４の表面に、エステル樹脂（常温時には粘着性を有さない樹脂）からなる樹脂コート層７１が均一に塗布されており、その樹脂コート層７１中に送受信回路３５が渦巻き状に形成されている（樹脂コート層を約半分の厚みとなるように設け、送受信回路３５を塗布した後に、再度、樹脂コート層を積層することによって形成されている）。なお、アンテナ３２の左側の部分Ｌの送受信回路３５と、アンテナ３２の左側の部分Ｌの送受信回路３５とは、途切れることなく連続した状態になっている。また、アンテナ３２の左側部分Ｌは、下ケース４に固着されたＩＣタグ２６を覆い、僅かに外側に撓んだ状態になっている。
【００２６】
かかるシート状のアンテナ３２は、右側部分Ｒが、粘着剤層６９によって上ケース３に貼着（粘着）されており、剥離すると、図１１の如く、送受信回路３５の一部が粘着剤層７３とともに分離して接着面（上ケース３、下ケース４の表面）に残存し、送受信回路３５が切断され、ＩＣタグ２６とＲＦ送受信を行うアンテナとしての機能を果たさなくなる（すなわち、自己破壊する）。
【００２７】
４．実施例の制御装置の使用態様
上記の如く構成された制御装置１は、パチンコ機等の遊技機に設置されて使用される。図１２、図１３は、制御装置１を設置したパチンコ機の一例を示したものであり、パチンコ機３６は、中央よりやや上側に遊技盤３９が設けられており、その遊技盤３９の表面には、ガイドレールで囲まれた略円形の遊技領域４１が設けられている。また、遊技盤３９の下側には、内蔵された発射装置に遊技球を供給するための供給皿４２が設けられており、その供給皿４２の下側には、供給皿４２から溢れた遊技球を貯留するための貯留皿４３が設けられている。さらに、供給皿４２と貯留皿４３との間には、効果音を発生させるスピーカ４４が設けられており、貯留皿４３の右側には、発射装置を操作するための発射ハンドル４５が設けられている。また、遊技領域４１の略中央には、図柄表示装置４６が設けられており、液晶画面４７に、種々の動画やメッセージ等を表示することができるようになっている。また、図柄表示装置４６の下側には、図柄始動口４８が設けられており、その図柄始動口４８の下方には、扉部材を開閉するアタッカ部材４９が設けられている。
【００２８】
一方、パチンコ機３６の裏面の左下方に、制御装置１が設けられており、その制御装置１の上側のセンターカバー５０の内部には、ＩＣタグ２６とアンテナ３２との周期的な無線通信により制御装置１の状態を監視するための監視手段であるリーダ／ライタユニット（以下、Ｒ／Ｗユニットという）３８が設置されている。図１４は、Ｒ／Ｗユニット３８の制御機構を示したものであり、Ｒ／Ｗユニット３８は、ＣＰＵ５１、ＲＡＭ６３、ＲＯＭ６４、ＥＥＰＲＯＭ５２、タイマ５３、ＩＣタグ２６との間でＲＦ送受信を行うためのＲＦ回路５８等を有している。また、ＣＰＵ５１が、Ｉ／Ｏインタフェイス５９を介して、ＬＡＮカード６０、入力ポート６１、表示器６２等と接続されている。なお、Ｒ／Ｗユニット３８は、パチンコ機３６が設置される島設備から電源供給を受けるようになっている。また、収納ケースＣに貼着されたアンテナ３２が、同軸ケーブル３７によってＲ／Ｗユニット３８のＲＦ回路５８に接続されている。
【００２９】
さらに、図１３に示すように、Ｒ／Ｗユニット３８の上側には、図柄表示装置４６の表示内容を制御するための図柄制御装置５４が設置されており、Ｒ／Ｗユニット３８の右側には、スピーカ４４から発生させる効果音の内容を制御するための効果音制御装置５６が設置されている。加えて、センターカバー５０の右側には、賞球時や貸球時に遊技球を払い出すための遊技球払出装置５７が設置されている。
【００３０】
また、図１５は、パチンコ機３６の制御機構を示したものであり、制御装置１は、基板２に搭載されたＬＳＩ２５が、Ｉ／Ｏインタフェイス６７を介して、図柄制御装置５４、効果音制御装置５６、各種の入賞装置への入賞を検出する入賞検出装置６６、アタッカ部材４９を作動させるための作動装置６５、遊技球払出装置５７等と接続されている。
【００３１】
５．実施例の制御装置を設置したパチンコ機の動作内容
パチンコ機３６は、制御装置１のＬＳＩ２５に記憶されたプログラムにしたがい、図柄制御装置５４、効果音制御装置５６、遊技球払出装置５７等と信号の送受信を行うことによって、主たる遊技動作を実行する。そして、発射ハンドル４５の回転操作によって遊技領域４１に打ち出された遊技球が図柄始動口４８に入賞すると、「抽選」を実行し、「大当たり」を生起させるか否かを決定する。また、「抽選」を実行すると略同時に、図柄表示装置４６に表示された図柄を変動させ（他の図柄と順々に入れ替わる動画を表示し）、所定時間後に停止させて新たな図柄を表示する。さらに、「抽選」において「大当たり」が生起した場合には、図柄の変動後に、予め設定された「大当たり図柄」を表示し、しかる後に、「大当たり状態」を生起させる。「大当たり状態」においては、アタッカ部材４９の扉部材を所定回数だけ断続的に開成させるとともに、各種の発光部材を所定の態様で発光させ、スピーカ４４から所定の効果音を発生させる。一方、各種の入賞装置に遊技球が入賞した場合には、遊技球払出装置５７が、所定数の遊技球を賞品球として供給皿４２に払い出す。
【００３２】
また、パチンコ機３６は、制御装置１の状態を監視するために、Ｒ／Ｗユニット３８のＲＦ回路５８が、制御装置１のアンテナ３２を介して、制御装置１のＩＣタグ２６に対して、所定の周波数（１３．５６ＭＨｚ）の呼出波を送信（ＲＦ送信）する。ＩＣタグ２６は、呼出波を受けると、直ちに、ＥＥＰＲＯＭ２９内から識別コードを呼び出し、その識別コードを含めた反射波を送信（ＲＦ送信）する。ＩＣタグ２６が反射波を送信すると、Ｒ／Ｗユニット３８は、アンテナ３２によって、その反射波を受信（ＲＦ受信）する。Ｒ／Ｗユニット３８は、反射波に含まれる識別コードが登録されたものであると確認すると、再度、直ちに呼出波を送信することにより、監視動作を、短時間（約数十ｍｓ）の周期で繰り返し実行する。
【００３３】
一方、Ｒ／Ｗユニット３８は、呼出波を送信してから所定時間（たとえば、５０ｍｓ）内に反射波を受信しなかった場合（すなわち、制御装置１が不正に開放された場合）に異常と判断し、異常を検知した旨をＥＥＰＲＯＭ５２に記憶し、ＬＡＮカード６０を介して、所定の異常検知信号を外部に出力するとともに、異常を検知した旨を表示器６２に表示する。
【００３４】
そして、アンテナ３２の右側部分Ｒが、上ケース３から剥がされた場合には、図１４の如く、アンテナ３２の送受信回路３５が切断されるため、アンテナ３２は、ＩＣタグ２６に対して呼出波を送信できなくなる。また、ＩＣタグ２６が、下ケース４から剥がされた場合には、図７の如く、ＩＣタグ２６の送受信回路３１が切断されるため、ＩＣタグは、アンテナ３２からの呼出波に応答して反射波を送信できなくなる。このため、Ｒ／Ｗユニット３８は、アンテナ３２に呼出波を送信しても、ＩＣタグ２６から所定時間内に反射波を受信することができないため、異常を検知した旨をＥＥＰＲＯＭ５２に記憶し、所定の異常検知信号を外部の端末や警報器等に出力するとともに、異常を検知した旨を表示器６２に表示する。
【００３５】
６．実施例の制御装置の効果
制御装置１は、上記の如く、ベース部材である下ケース４とカバー部材である上ケース３とが組み付けられた状態において、ＩＣタグ２６とアンテナ３２とが、無線通信可能な所定距離を隔てて対峙しており、アンテナ３２が、上ケース３との貼着部分を剥離すると、無線通信不能となるように自己破壊を起こすようになっている。したがって、収納ケースＣが不正に開放された場合には、ＩＣタグ２６とアンテナ３２とが送受信不能となり、不正に開放された事態を直ちに（リアルタイムで）検知することができる。したがって、ＬＳＩ２５等の制御素子の不正取り替え、不正改造等の不正行為を、効果的に防止することができる。それにも拘わらず、修理、メンテナンスや、チェックの際には、アンテナ３２およびＩＣタグ２６を剥がすことなく、非常に容易に収納ケースＣを開放することができる。加えて、すでにパチンコホールに設置されている旧型の制御装置や、種々のメーカーによって製造された異なるタイプの制御装置に、アンテナ３２とＩＣタグ２６とを設置するだけで、容易に製造することができる。
【００３６】
また、制御装置１は、ＩＣタグ２６の貼着部分を剥離するとＩＣタグ２６が自己破壊を起こすようになっている。したがって、ＩＣタグ２６が収納ケースＣの下ケース４から無理矢理剥がされた場合には、ＩＣタグ２６とアンテナ３２とが送受信不能となり、不正に開放された事態を直ちに（リアルタイムで）検知することができるため、不正行為の防止機能の信頼性が高い。
【００３７】
さらに、制御装置１は、アンテナ３２が、一部をカバー部材（上カバー３）から突出させた状態で、ＩＣタグ２６と無線通信可能に対峙しているため、収納ケースを上記実施形態の如く箱形のシンプルな構造にすることができる。したがって、安価かつ容易に製造することができる。加えて、すでにパチンコホールに設置されている旧型の制御装置や、種々のメーカーによって製造された異なるタイプの制御装置に、アンテナ３２とＩＣタグ２６とを設置するだけで、非常に容易に製造することができる。
【００３８】
さらに、制御装置１は、アンテナ３２が、プリント基板３４上に送受信回路３５を積層したものであり、収納ケースＣから剥離すると、アンテナ３２の送受信回路３５が断線するものであるため、アンテナ３２が剥がされて収納ケースＣが不正に開放された場合には、ＩＣタグ２６とアンテナ３２との送受信を確実に阻止するので、不正行為の防止機能の信頼性がきわめて高い。
【００３９】
７．本発明の変更例の説明
本発明の制御装置は、上記実施形態の態様に何ら限定されるものではなく、基板、収納ケース、ＩＣタグ、アンテナの材料、形状、構造等の構成を本発明の趣旨を逸脱しない範囲内で適宜変更することができる。
【００４０】
たとえば、制御装置は、ベース部材にＩＣタグを取り付けるとともにカバー部材にアンテナを取り付けたものに限定されず、ベース部材にアンテナを取り付けるとともにカバー部材にＩＣタグを取り付けたものでも良い。また、アンテナがＩＣタグを覆うようにベース部材あるいはカバー部材に貼着されたものに限定されず、ＩＣタグがアンテナを覆うようにベース部材あるいはカバー部材に貼着されたものでも良い。さらに、ＩＣタグの反射波の出力範囲（通信距離）は、コイルの巻き数の変更等によって、適宜調整することが可能である。
【００４１】
さらに、制御装置は、上記実施形態の如く、ベース部材とカバー部材とを組み付けた場合にＩＣタグとアンテナとがほとんど接触したようになるものに限定されず、ベース部材とカバー部材とを組み付けた場合にＩＣタグとアンテナとが無線通信可能な状態で対峙するものであれば、ＩＣタグとアンテナとの距離を必要に応じて適宜変更することができる。なお、ＩＣタグの反射波の出力範囲（通信距離）は、コイルの巻き数の変更等によって、適宜調整することが可能である。
【００４２】
さらに、分割式の収納ケースは、上記実施形態の如く、シンプルな係合機構のみを設けたものに限定されず、片方のケースの端縁に、ワンウェイタイプのネジを保持した切断可能な複数のネジ保持部を設ける（たとえば、小径の連結体を介して片方のケースの本体にネジ保持部が繋がった形状となるように、片方のケース、連結体、ネジ保持部を合成樹脂によって一体的に成形する）とともに、他方のケースの端縁に、ネジ保持部に保持されたネジを螺着させるネジ孔を形成したもの等に変更することも可能である。かかる構成を採用した場合には、収納ケースが不正に開放されると、収納ケースに不正に開放された痕跡が残り、目視によっても、その事態を速やかに把握することができるため、収納ケースの不正開放が一層困難なものとなる、というメリットがある。なお、収納ケースを、上記の如くネジ保持部を設けたものとする場合には、必要に応じて、上ケース（あるいは下ケース）に設けるネジ保持部の個数を、適宜変更することができる。また、ネジ保持部の設置位置は、収納ケースの左右に限定されず、収納ケースの上下に設置することも可能である。
【００４３】
また、制御装置は、１箇所にＩＣタグとアンテナとを設置したものに限定されず、２箇所以上にＩＣタグとアンテナとを設置したものでも良い。さらに、ＩＣタグを収納ケースの内側面や基板上に取り付けて、アンテナのみを収納ケースの外側に取り付けることも可能である。なお、ＩＣタグを収納ケースの内側に取り付ける場合には、ＩＣタグの設置方法として、接着剤による接着や、ＩＣタグを構成する樹脂を収納ケースに融着させる方法等を採用することができる。加えて、シート状のＩＣタグやアンテナを、裏面に粘着剤を塗布したシールとするとともに、粘着剤層の表面に剥離紙を貼着しておき、設置する際に剥離紙を剥離して貼着するようにすれば、ＩＣタグやアンテナの設置が非常に容易になる、というメリットがある。
【００４４】
一方、ＩＣタグやアンテナを自己破壊タイプのものとする方法は、上記実施形態の如きフレキシブルプリント基板の表面に積層する粘着剤層中に送受信回路を形成する方法に限定されず、剥離によって所定量以上の応力が加わると短絡するような回路をＩＣタグやアンテナに設ける（内蔵させる）方法等でも良い。なお、フレキシブルプリント基板の表面に積層する粘着剤層中に送受信回路を形成する方法によってＩＣタグやアンテナを自己破壊タイプのものとする場合には、ＩＣタグやアンテナの製造が安価で容易なものとなる、というメリットがある。また、フレキシブルプリント基板の表面に積層する粘着剤層中に送受信回路を形成する方法を採用する場合には、ＩＣタグやアンテナを構成するフレキシブルプリント基板や、収納ケースの材質に応じて、アンカーコートや粘着剤の種類を適宜変更することができる。
【００４５】
加えて、Ｒ／Ｗユニットは、制御装置の定期的な監視のみを行うものに限定されず、テンキー等の入力手段が設けられており、所定の入力をすることによって、任意のタイミングで制御装置の監視を行うことができるものに変更することも可能である。なお、Ｒ／Ｗユニットを、上記実施形態の如く、ごく短期間の周期の定期的な監視を行うものとした場合には、不正行為が行われた事態をリアルタイムで把握することができる、というメリットがある。また、Ｒ／Ｗユニットは、異常を検知した旨を不揮発性の記憶手段であるＥＥＰＲＯＭに記憶するものに限定されず、通常のＲＯＭ，ＲＡＭ、ハードディスク、光メディア等の記憶手段に記憶するもの等でも良い。さらに、Ｒ／Ｗユニットは、パチンコ機が設置される島設備から電源供給を受けるものに限定されず、パチンコ機から電源供給を受けるもの等でも良い。
【００４６】
また、Ｒ／Ｗユニットは、営業時間中には異常事態の報知のみを行い、パチンコ機が稼働していない夜間等には監視履歴情報をＥＥＰＲＯＭ等の記憶手段に記憶させるものに変更することも可能である。
【００４７】
さらに、Ｒ／Ｗユニットは、携帯端末（たとえば、ＰＤＡや携帯電話）等の外部の機器からの呼び出しに応じて、記憶手段に記憶させた監視履歴に関する情報を出力するものとすることも可能である。
【００４８】
収納ケースに貼着されるＩＣタグは、他のＩＣタグと識別するためのＩＤコードのみならずメーカーＩＤやホールＩＤ等の識別情報をも記憶させたものに変更することも可能である。
【００４９】
加えて、上記実施形態においてはパチンコ機に用いられる制御装置について説明したが、本発明の制御装置が用いられる機器は、スロットマシーンやテレビゲーム等のパチンコ機以外の遊技機でも良いし、工作機械や産業用ロボット等の所定の動作を行う別の機器でも良い。
【００５０】
【発明の効果】
請求項１に記載された制御装置は、ベース部材とカバー部材とが組み付けられた状態において、ＩＣタグと前記アンテナとが、無線通信可能な所定距離を隔てて対峙しており、アンテナが、ベース部材あるいはカバー部材との貼着部分を剥離すると、無線通信不能となるように自己破壊を起こすようになっているため、収納ケースが不正に開放された場合には、ＩＣタグとアンテナとが送受信不能となり、不正に開放された事態を直ちに（リアルタイムで）検知することができる。したがって、ＬＳＩ等の制御素子の不正取り替え、不正改造等の不正行為を、効果的に防止することができる。それにも拘わらず、修理、メンテナンスや、チェックの際には、アンテナおよびＩＣタグを剥がすことなく、非常に容易に収納ケースを開閉することができる。加えて、接着剤や粘着剤層を利用してアンテナとＩＣタグとを貼着するだけで、すでにパチンコホールに設置されている旧型の制御装置や、種々のメーカーによって製造された異なるタイプの制御装置に、アンテナとＩＣタグとを設置するだけで、容易に製造することができる。
【００５１】
請求項２に記載された制御装置は、ＩＣタグの貼着部分を剥離するとＩＣタグが自己破壊を起こすようになっているため、ＩＣタグが収納ケースのベース部材あるいはカバー部材から無理矢理剥がされた場合には、ＩＣタグとアンテナとが送受信不能となり、不正に開放された事態を直ちに（リアルタイムで）検知することができる。したがって、不正行為の防止機能の信頼性が高い。
【００５２】
請求項３に記載された制御装置は、アンテナが、一部をベース部材あるいはカバー部材から突出させた状態で、ＩＣタグと無線通信可能に対峙しているため、収納ケースをシンプルな構造にすることができる。したがって、安価かつ容易に製造することができる。加えて、すでにパチンコホールに設置されている旧型の制御装置や、種々のメーカーによって製造された異なるタイプの制御装置に、アンテナとＩＣタグとを設置するだけで、非常に容易に製造することができる。
【００５３】
請求項４に記載された制御装置は、アンテナおよび／またはＩＣタグが、ベースシート上に送受信回路を積層したものであり、収納ケースから剥離すると、アンテナあるいはＩＣタグの送受信回路が断線するため、アンテナが剥がされて収納ケースが不正に開放された場合には、ＩＣタグとアンテナとの送受信を確実に阻止するので、不正行為の防止機能の信頼性がきわめて高い。
【００５４】
請求項５に記載された遊技機は、請求項１〜４のいずれかに記載の制御装置を備えたものであるため、制御装置の収納ケースが不正に開放された場合には、ＩＣタグとアンテナとによって、直ちにその事態を検知することができるので、ＬＳＩ等の制御素子の不正取り替え、不正改造等の不正行為を、効果的に防止することができる。
【図面の簡単な説明】
【図１】制御装置の正面図である。
【図２】制御装置の左側面図である。
【図３】制御装置の分解斜視図である。
【図４】ＩＣタグの正面図である。
【図５】ＩＣタグの制御機構を示すブロック図である。
【図６】下ケースに貼着したＩＣタグの断面（図４におけるＡ−Ａ線断面）を示す説明図である。
【図７】ＩＣタグを剥がす様子を示す説明図である。
【図８】アンテナの正面図である。
【図９】上ケースに貼着したアンテナの右側部分の断面（図８におけるＡ−Ａ線断面）を示す説明図である。
【図１０】上ケースに貼着したアンテナの左側部分の断面（図８におけるＣ−Ｃ線断面）を示す説明図である。
【図１１】アンテナの右側部分を剥がす様子を示す説明図である。
【図１２】制御装置を設置したパチンコ機の正面図である。
【図１３】制御装置を設置したパチンコ機の裏面図である。
【図１４】Ｒ／Ｗユニットの制御機構を示すブロック図である。
【図１５】パチンコ機の制御機構を示すブロック図である。
【符号の説明】
１・・制御装置、２・・基板、３・・上ケース（カバー部材）、４・・下ケース（ベース部材）、２５・・ＬＳＩ、２６・・ＩＣタグ、２７・・フレキシブルプリント基板、３１・・送受信回路、３２・・アンテナ、３４・・プリント基板、３５・・送受信回路、３６・・パチンコ機、Ｃ・・収納ケース、Ｒ・・アンテナの右側部分、Ｌ・・アンテナの左側部分。
【図１】
2004243042.tif 000003
【図２】
2004243042.tif 000004
【図３】
2004243042.tif 000005
【図４】
2004243042.tif 000006
【図５】
2004243042.tif 000007
【図６】
2004243042.tif 000008
【図７】
2004243042.tif 000009
【図８】
2004243042.tif 000010
【図９】
2004243042.tif 000011
【図１０】
2004243042.tif 000012
【図１１】
2004243042.tif 000013
【図１２】
2004243042.tif 000014
【図１３】
2004243042.tif 000015
【図１４】
2004243042.tif 000016
【図１５】
2004243042.tif 000017